(57)【要約】【課題】被抽出物の漏出を抑制でき、かつ、被抽出物を容易に除去できるようにすることを目的とする。【解決手段】抽出網具３０は、急須等の容器部内に取出し可能な状態で収容される。抽出網具３０は、網目を有する筒状に形成された抽出網３１と、抽出網３１の一方側開口部内に着脱可能に装着された底部４０と、を備える。底部４０は、好ましくは、抽出網３１の一方側開口部を閉塞する板状の底本体部４２と、底本体部４２の周囲に設けられた周壁部４４とを含む。周壁部４４が抽出網３１の一方側開口部内に外嵌め又は内嵌めされることで、底部４０が抽出網３１の一方側開口部装着される。【選択図】図５
2014090839.tif 000002
【特許請求の範囲】
【請求項１】
容器内に取出し可能な状態で収容可能な抽出網具であって、
網目を有する筒状に形成された抽出網と、
前記抽出網の一方側開口部に着脱可能に装着された底部と、
を備える抽出網具。
【請求項２】
請求項１記載の抽出網具であって、
前記底部は、前記抽出網の一方側開口部を閉塞する板状の底本体部と、前記底本体部の周囲に設けられた周壁部とを含み、
前記周壁部が前記抽出網の一方側開口部に外嵌め又は内嵌めされることで、前記底部が前記抽出網の一方側開口部に装着される、抽出網具。
【請求項３】
請求項１又は請求項２記載の抽出網具であって、
前記抽出網の一方側開口に環状枠部が取付けられている、抽出網具。
【請求項４】
請求項１〜請求項３のいずれか１つに記載の抽出網具であって、
前記抽出網の一方側開口と前記底部のいずれか一方に、その周方向に沿って形成された環状凸部が形成され、
前記抽出網の一方側開口と前記底部のいずれか他方に、前記環状凸部と嵌り合う環状凹部が形成されている、抽出網具。
【請求項５】
開口部を有する器状に形成された容器本体部と、注ぎ口部と、取っ手部を含む抽出容器と、
請求項１〜請求項４のいずれか１つに記載の抽出網具であって、前記容器本体部の前記開口部を通じて前記容器本体部内に収容可能な抽出網具と、
を備える抽出器。
【請求項６】
開口部を有する器状に形成された、個人への飲料提供用の容器と、
請求項１〜請求項４のいずれか１つに記載の抽出網具であって、前記容器の前記開口部を通じて前記容器内に収容可能な抽出網具と、
を備える抽出器。
【発明の詳細な説明】
【技術分野】
【０００１】
この発明は、茶葉、コーヒー粉等の被抽出物から飲料成分を抽出する技術に関する。
【背景技術】
【０００２】
茶葉等から飲料成分を抽出するための急須として、特許文献１〜３に開示のものがある。
【０００３】
特許文献１では、急須の内部底面に嵌合溝が形成され、内筒の下端部が嵌合溝に嵌合されている。
【０００４】
特許文献２では、急須本体の内部底面に円形状の穴が形成され、筒形の網の底部が前記穴に嵌め込まれている。
【０００５】
特許文献３では、抽出容器部に、抽出網が配設される。抽出容器部の底部内面に、抽出網の一方側開口部を嵌め込み可能な凹部が形成され、抽出網の一方側の開口部が、凹部に嵌め込まれる。
【先行技術文献】
【特許文献】
【０００６】
【特許文献１】実開昭５１−１５９２８７号公報
【特許文献２】特開２００１−１８６９８５号公報
【特許文献３】特許第４８０５４２０号公報
【発明の概要】
【発明が解決しようとする課題】
【０００７】
しかしながら、特許文献１又は２に開示の技術では、筒状の網の下側縁部は、急須等の底部に形成された嵌合溝又は穴の底部に接している。しかも、嵌合溝又は穴は、筒状の網の下部を位置決めできる程度の深さでしかない。このため、嵌合溝又は穴の底部に貯まった茶葉、特に、細かい茶葉が、嵌合溝又は穴の底部と筒状の網の下側縁部との間を通って漏れ出てしまう。
【０００８】
特許文献３に開示の技術では、細かい茶葉等は、抽出網の一方側開口部よりも底側で凹部内に貯まるため、抽出網内から漏出し難くなる。しかしながら、当該細かい茶葉等が抽出容器部の底に貯まってしまうため、掃除し難い。
【０００９】
そこで、本発明は、被抽出物の漏出を抑制でき、かつ、被抽出物を容易に除去できるようにすることを目的とする。
【課題を解決するための手段】
【００１０】
上記課題を解決するため、第１の態様は、容器内に取出し可能な状態で収容可能な抽出網具であって、網目を有する筒状に形成された抽出網と、前記抽出網の一方側開口部に着脱可能に装着された底部と、を備える。
【００１１】
第２の態様は、第１の態様に係る抽出網具であって、前記底部は、前記抽出網の一方側開口部を閉塞する板状の底本体部と、前記底本体部の周囲に設けられた周壁部とを含み、前記周壁部が前記抽出網の一方側開口部に外嵌め又は内嵌めされることで、前記底部が前記抽出網の一方側開口部に装着されるものである。
【００１２】
第３の態様は、第１又は第２の態様に係る抽出網具であって、前記抽出網の一方側開口に環状枠部が取付けられている。
【００１３】
第４の態様は、第１〜第３のいずれか１つの態様に係る抽出網具であって、前記抽出網の一方側開口と前記底部のいずれか一方に、その周方向に沿って形成された環状凸部が形成され、前記抽出網の一方側開口と前記底部のいずれか他方に、前記環状凸部と嵌り合う環状凹部が形成されているものである。
【００１４】
第５の態様に係る抽出器は、開口部を有する器状に形成された容器本体部と、注ぎ口部と、取っ手部を含む抽出容器と、第１〜第４のいずれか１つの態様に係る抽出網具であって、前記容器本体部の前記開口部を通じて前記容器本体部内に収容可能な抽出網具とを備える。
【００１５】
第６の態様に係る抽出器は、開口部を有する器状に形成された、個人への飲料提供用の容器と、第１〜第４のいずれか１つの態様に係る抽出網具であって、前記容器の前記開口部を通じて前記容器内に収容可能な抽出網具と、を備える。
【発明の効果】
【００１６】
第１〜第６の態様によると、抽出網の一方側開口部に底部が装着されているため、容器内で被抽出物が抽出網具から漏出し難くなる。また、被抽出物、特に、細かい茶葉等の被抽出物は、底部上に貯まり易いところ、抽出網具を取出した状態で、抽出網から底部を取外することができる。そして、底部を洗うことにより、被抽出物を容易に除去できる。
【００１７】
第２の態様によると、底部は周壁部を有するため、細かい抽出物の多くは、底部の周壁部の内側に貯まる。そして、周壁部によって当該細かい被抽出物の流出がより確実に抑制される。
【００１８】
第３の態様によると、環状枠部によって、前記抽出網の一方側開口の形状をより一定形状に保つことができる。
【００１９】
第４の態様によると、環状凸部と環状凹部との嵌り合い構造によって、底部を容易に着脱でき、かつ、底部の装着状態で、被抽出物の漏出をより確実に抑制できる。
【００２０】
第６の態様によると、個人への飲料提供用の容器を用いて、被抽出物からの抽出を行える。
【図面の簡単な説明】
【００２１】
【図１】実施形態に係る急須を示す分解斜視図である。
【図２】同上の急須の断面図である。
【図３】抽出網具を示す斜視図である。
【図４】図３のＡ−Ａ線断面図である。
【図５】抽出網具の分解説明図である。
【図６】抽出網具の分解断面説明図である。
【図７】容器部内の被抽出物がお湯に浸された状態を示す説明図である。
【図８】抽出網から底部を取外した状態を示す説明図である。
【図９】抽出網具を個人への飲料提供用の容器に適用した状態を示す説明図である。
【図１０】抽出網具を個人への飲料提供用の容器に適用した状態を示す説明図である。
【図１１】抽出網具を個人への飲料提供用の容器に適用した状態を示す説明図である。
【図１２】変形例に係る抽出網具を個人への飲料提供用の容器に適用した状態を示す説明図である。
【発明を実施するための形態】
【００２２】
以下、実施形態に係る抽出網具及び抽出器について説明する。ここでは、抽出器としてお茶を淹れるための道具である急須を想定した例で説明する。図１は実施形態に係る急須１０を示す分解斜視図であり、図２は急須１０の断面図である。
【００２３】
この急須１０は、被抽出物（例えば、日本茶或は紅茶等の茶葉、コーヒー等）から、茶成分、コーヒー成分等の飲料成分を抽出するための装置、即ち、飲料を生成するための装置である。
【００２４】
急須１０は、抽出容器としての容器部２０と、蓋部１２と、抽出網具３０とを備える。
【００２５】
容器部２０は、容器本体部２２と、注ぎ口部２８と、取っ手部２９とを備える。
【００２６】
容器本体部２２は、上方に開口部２７を有する器状に形成されている。より具体的には、容器本体部２２は、高さ方向中間部が太く、かつ、上部及び下部が前記中間部よりも細い器状に形成されており、内部に液体を貯留できるようになっている。
【００２７】
容器本体部２２の底部２３の外面は、机等の平面上に載置可能な形状に形成されている。底部２３の内面は、抽出網具３０を安定して支持可能な形状、ここでは、平らに形成されている。底部２３の内面は、抽出網具３０の下部と同じかこれよりも広く広がる面であることが好ましい。
【００２８】
開口部２７は、容器本体部２２の上方で、上向きに開口している。そして、液体を、開口部２７を通じて容器本体部２２内に注ぎ、また、その液体を容器本体部２２内に貯留できるようになっている。
【００２９】
底部２３の内面からの開口部２７の高さ位置は、抽出網具３０の高さ寸法と同じであることが好ましい。これにより、抽出網具３０の上端部を開口部２７内に配設して一定位置に支持でき、また、抽出網具３０をセットしたままの状態で蓋部１２で開口部２７を閉じることができるからである。また、開口部２７の内径は、抽出網具３０を挿入可能な程度の大きさに形成されている。開口部２７の内径は、抽出網具３０の外径と同じ程度であることが好ましい。これにより、抽出網具３０をなるべくがたつきなく支持できるからである。
【００３０】
注ぎ口部２８は、上記容器本体部２２の外周りの一部であってその高さ方向中間部から斜め上方に向けて延出する筒形状に形成されている。注ぎ口部２８の基端部は、容器本体部２２の内部空間と連通している。そして、注ぎ口部２８の先端部を下方に向けるように、容器本体部２２を傾けると、容器本体部２２内の液体が注ぎ口部２８を通って外部に流れ出るようになっている。注ぎ口部は、容器本体部の開口周縁部から外方に向けて延びる半筒状形状のものであってもよい。すなわち、注ぎ口部２８は、容器本体部２２内の液体を外部に導く構成であればよい。
【００３１】
取っ手部２９は、容器本体部２２の外周りの一部であってその高さ方向中間部から斜め上方に向けて延びる筒形状に形成されている。ここでは、容器本体部２２の平面視において、注ぎ口部２８に対して容器本体部２２周りに９０度ほどずれた位置に取っ手部２９が設けられている。そして、本急須１０の利用者が、手で取っ手部２９を掴むことによって、急須１０を持上げて当該急須１０を傾けることにより、上記注ぎ口部２８から湯飲み等に飲料（お茶）を注ぐことができるようになっている。このように容器本体部２２の一側部に固定される取っ手部２９の他、容器本体部をぶら下げるようにして支持する取っ手等であってもよく、また、取っ手は省略されてもよい。すなわち、取っ手部は、上記例に限られず、容器本体部２２に連結されており、容器本体部２２を持上げて傾けることができるような構成であればよい。
【００３２】
蓋部１２は、上記開口部２７に着脱可能に装着されるように構成されている。より具体的には、蓋部１２は、浅い皿状形状に形成されており、上記開口部２７を閉塞可能に構成されている。そして、蓋部１２の外周縁部を開口部２７上に載置することで、蓋部１２で開口部２７を閉塞できるようになっている。また、この状態から、蓋部１２を上方に持上げることによって、蓋部１２を開口部２７から取外せるようになっている。なお、蓋部１２の外面（上面）の略中央部には、つまみ部１３が突設されており、利用者が手でつまみ部１３をつまむことによって、当該蓋部１２を開口部２７に対して容易に着脱できるようになっている。
【００３３】
図３は抽出網具３０を示す斜視図であり、図４は図３のＡ−Ａ線断面図であり、図５は抽出網具３０の分解説明図であり、図６は抽出網具３０の分解断面説明図である。
【００３４】
図１〜図６に示すように、抽出網具３０は、抽出網３１と、底部４０とを備え、上記開口部２７を通じて容器本体部２２内に着脱可能な状態で収容可能に構成されている。
【００３５】
抽出網３１は、網目を有する筒状に形成された部材であり、網部３２と、上枠部３４と、下枠部３６とを備える。
【００３６】
網部３２は、網材を筒状に形成した構成とされている。ここでは、網部３２は、軸方向に沿って径が同じである円筒状に形成されている。網部３２が軸方向に沿って径が同じである筒状であることは必須ではないが、そのような形状であれば、面状に広がる網材から網部３２を容易に製造できるという利点がある。また、抽出網は、その他、多角形筒形状であってもよい。網材としては、ステンレス細線で形成されたステンレス製の網材、その他の金属製の網、樹脂製の網、植物性の網等を用いることができる。また、網材を筒状に加工する際に接続箇所が発生する際には、溶接等で接合してもよいし、当該網材の端部を重ねて配設するだけであってもよい。
【００３７】
上枠部３４は、ステンレス製の帯板材等を円状に曲げると共に、網部３２の他方側（上側）の端縁部開口を挟込むように二つ折り状に折曲げることにより形成されている。上枠部３４は、上記構成の他、下記の下枠部３６と同様に、縫付け構造等によって網部３２の他方側（上側）の端縁部開口に取付けられていてもよい。
【００３８】
下枠部３６は、ステンレス製の帯板材等を円状に曲げること等により形成された部材であり、上記網部３２の一方側開口に取付けられた環状枠部としての部材である。
【００３９】
下枠部３６の外周側部分は、網部３２の外周よりも突出している。従って、下枠部３６の外周側部分は、その周方向に沿って形成された環状凸部３６ａとしての役割を持つ。
【００４０】
網部３２の一方側開口への下枠部３６の取付は、例えば、下枠部３６に形成された孔及びナイロン等の糸を利用した縫付け構造を採用することができる。この場合、網部３２と下枠部３６との隙間をなるべく小さくするため、下枠部３６の上端部に網部３２の一方側開口を被せた状態で上記縫付けを行うことが好ましい。その他、上記上枠部３４と同様に、下枠部３６で網部３２の一方側（下側）の端縁部開口を挟込むようにする等して、下枠部３６を網部３２に取付けてもよい。もっとも、下枠部３６は必須ではない。
【００４１】
底部４０は、抽出網具３０の一方側（下側）開口部に着脱可能に装着された部材である。
【００４２】
ここでは、底部４０は、樹脂（軟質樹脂等）で形成された一体成型部材であり、底本体部４２と、周壁部４４とを備える。
【００４３】
底本体部４２は、抽出網具３０の一方側開口を閉塞可能な程度の板状（ここでは円板状）に形成されている。
【００４４】
周壁部４４は、底本体部４２の外周から立上がる環状壁形状に形成されている。周壁部４４の内径は、抽出網具３０の一方側開口部の外径と同じ程度に設定されており、当該抽出網具３０の一方側開口の外周部に外嵌め可能に構成されている。周壁部４４の突出寸法（上下方向寸法）は、下枠部３６の高さ寸法よりも大きく設定され、当該周壁部４４が下枠部３６の全体に被さるように抽出網具３０の一方側開口部に装着されることが好ましいが、これは必須ではない。
【００４５】
また、周壁部４４の内周面には、上記環状凸部３６ａと嵌り合う環状凹部４５が形成されている。そして、抽出網具３０の一方側開口部の周方向全体で、環状凸部３６ａが環状凹部４５に嵌り合い、これにより、抽出網具３０の一方側開口部に対する底部４０の取付状態が維持される。底部４０の着脱は、抽出網具３０の一方側開口部及び底部４０の少なくとも一方の断線変形を利用して容易に行うことができる。
【００４６】
なお、上記例では、抽出網具３０の一方側開口部に環状凸部３６ａが形成され、底部４０に環状凹部４５が形成される例で説明したが、凹凸関係が逆、即ち、抽出網具に環状凹部が形成され、底部に環状凸部が形成されてもよい。
【００４７】
また、上記例では、底部４０が抽出網具３０の一方側開口部に対して外嵌めされる例で説明したが、底部が抽出網具の一方側開口部に対して内嵌めされる構成であってもよい。抽出網具３０の一方側開口部の内周側に環状凸部又は環状凹部が形成され、底部の外周側に環状凹部又は環状凸部が形成されればよい。
【００４８】
もっとも、上記環状凸部及び環状凹部が形成されることは必須ではない。
【００４９】
上記したように、抽出網具３０の高さ寸法は、底部２３と開口部２７とを結ぶ距離程度であることが好ましい。また、抽出網具３０の外径寸法は、開口部２７の内径寸法程度であることが好ましい。
【００５０】
このように構成された急須１０の使用方法について説明する。
【００５１】
まず、空の容器部２０内に、開口部２７を通って抽出網具３０を配設する。この状態で、容器部２０の上方の開口部２７内に配設された、抽出網具３０の他方側（上側）開口を通って、抽出網具３０内に被抽出物を投入する。なお、抽出網具３０を容器部２０内に配設する前の状態で、抽出網具３０内に被抽出物を投入しておいてもよい。
【００５２】
この後、お湯を、容器部２０の上方の開口部２７を通って容器部２０内に注ぐ。すると、図７に示すように、容器部２０内の被抽出物がお湯に浸される。この際、抽出網具３０は、容器部２０の底部２３上に載置されているため、容器部２０に注がれたお湯が少量であっても、被抽出物は当該お湯に浸され易い。このため、少量のお湯であっても、被抽出物からその飲料成分等を十分に抽出することができる。
【００５３】
容器部２０内にお湯を注いだ後、蓋部１２を装着し、飲料成分を抽出するのに適切な時間が経過すると、抽出網具３０を容器部２０から取出す。この際、抽出成分が溶け込んだお湯（飲料）が抽出網具３０を通過し、被抽出物は抽出網具３０内に残存する。また、お湯は、筒状の抽出網具３０の周り全体を使って濾過されるため、濾過面積を比較的大きくすることができる。これにより、抽出網具３０内のお湯を、円滑に容器部２０内に残存させることができる。また、抽出網具３０の抽出網３１の一方側開口部には底部４０が装着された構成であるため、抽出網具３０の底側部分からの被抽出物の通過も抑制されている。
【００５４】
しかも、底に沈んだ被抽出物Ｌは、抽出網具３０の底部４０に貯まっており、特に、粉末状の被抽出物Ｌｓは最も底、即ち、周壁部４４によって囲まれた部分に貯まり易い。このため、容器部２０内の底に沈んだ被抽出物Ｌ（特に、粉末状の被抽出物Ｌｓ）が周壁部４４によって囲まれ外部へ流出し難くなり、容器部２０内に残存する飲料に、粉末状の被抽出物Ｌｓ等が混じることが抑制される。
【００５５】
そして、利用者が手で取っ手部２９を持って、急須１０を持上げ、注ぎ口部２８を下方に向けるように急須１０を傾ける。すると、容器部２０内において抽出成分が溶け込んだお湯、即ち、飲料が、注ぎ口部２８から流れ出て、注ぎ口部２８の下方にある湯飲み等の容器に注がれる。この際、被抽出物Ｌは、抽出網具３０と共に除去されているため、飲料に被抽出物Ｌが混じりにくい。
【００５６】
もっとも、容器部２０から飲料を注いだ後に、抽出網具３０を容器部２０から取出してもよい。
【００５７】
容器部２０から取出された抽出網具３０に対しては、被抽出物Ｌの除去、洗浄が行われる。すなわち、蓋部１２が取外された状態で、抽出網具３０は、開口部２７を通って上方に引出される。そして、図８に示すように、抽出網３１から底部４０を取外す。この際、底部４０が抽出網３１に外嵌めされていると、抽出網３１と底部４０の外周を持って容易に外すことができる。そして、主に底部４０に勢いよく水を流しかけ、必要に応じブラシ等を使って、底部４０に付着していた被抽出物を洗い流す。この際、底部４０は、容器部２０からも、抽出網３１からも取外されているため、底部４０のいずれの位置に対しても、水を流しかけ、また、ブラシ洗浄することができる。しかも、底部４０には、網目等が形成されていないため、底部４０に付着し易い被抽出物Ｌ（特に、粉末状の被抽出物Ｌｓ）を容易に洗い流すことができる。
【００５８】
また、抽出網３１の全体に勢いよく水を流しかけ、必要に応じブラシ等を使って、抽出網３１に付着していた被抽出物を洗い流す。この際、抽出網３１の両端が開口しているため、容易に洗浄することができる。特に抽出網３１は、容器部２０から取外されているため、抽出網３１の外側からも水を流しかけることができるため、付着した被抽出物をより確実に洗い流すことができる。
【００５９】
その他、容器部２０の外周、蓋部１２等については、一般的な急須１０と同様の方法で洗浄することができる。
【００６０】
なお、上記抽出網具３０は、図９〜図１１に示すように、開口部６２を有する器状に形成され、個人への飲料提供用の容器６０にも用いることができる。図９〜図１１に示す例では、いわゆる湯飲みに適用した例を示している。すなわち、容器６０と抽出網具３０とで、抽出液を製造する抽出器が構成されている。個人への飲料提供用の容器としては、その他、ティーカップ、コーヒーカップ等の洋風茶碗、ガラス製のコップ等が想定される。
【００６１】
この場合、開口部６２を通じて容器６０に上記抽出網具３０を収容し、抽出網具３０内に被抽出物Ｌを投入し、容器６０にお湯等を注ぐことで、上記と同様に、抽出液である飲料を作ることができる。なお、抽出網具３０の底部は、必ずしも容器６０の底部に接触している必要はない。
【００６２】
この後、抽出網具３０を、抽出後の被抽出物Ｌと共に容器６０から取出し、上記と同様にして、抽出網具３０を洗浄することができる。この適用例によると、急須１０を準備する必要がなくなるため、手軽に飲料を作ることができるというメリットがある。
【００６３】
なお、図１２に示す変形例のように、抽出網具３０Ｂは、個人への飲料提供用の容器６０Ｂに適した形状に形成されていてもよい。
【００６４】
図１２に示す例では、細長いグラス状の容器６０Ｂを想定し、抽出網具３０Ｂを、当該容器６０Ｂに適した形状に形成している。すなわち、抽出網具３０Ｂは、容器６０Ｂの内部形状に応じた細長い有底筒形状に形成されている。容器６０Ｂ内にお湯を注いだ状態で、抽出網具３０を容易に取出せるようにするため、抽出網具３０Ｂの高さ寸法は、容器６０Ｂの開口部６２に達する程度の大きさ又はそれ以上の大きさであることが好ましい。
【００６５】
なお、容器部２０、容器６０、６０Ｂから取外された抽出網具３０は、机上等に一時的に載置されていてもよい。この場合であっても、底部４０には周壁部４４が設けられているため、当該周壁部４４によって被抽出物Ｌに含まれていた液体が机上にこぼれることが抑制される。
【００６６】
以上のように構成された抽出網具３０、３０Ｂ、抽出器によると、抽出網３１の一方側開口部に底部４０が装着されているため、容器部２０、容器６０、６０Ｂ内で、被抽出物Ｌが抽出網具３０、３０Ｂから漏出し難くなる。また、被抽出物Ｌ、特に、細かい粉茶等の被抽出物Ｌｓは、底部２３上に貯まり易いところ、抽出網具３０、３０Ｂを取出した状態で、抽出網３１から底部４０を取外すことができる。そして、当該底部４０を洗うことにより、抽出物、特に、通常洗い流しにくい細かい被抽出物Ｌｓを容易に除去できる。
【００６７】
また、底部４０には、周壁部４４が設けられているため、底部４０近くに貯まる細かい被抽出物Ｌｓの多くが当該周壁部４４の内側に貯まる。そして、周壁部４４によって当該細かい被抽出物Ｌｓの流出がより確実に抑制される。
【００６８】
さらに、網部３２の一方側開口に下枠部３６が設けられているため、抽出網３１の一方側開口部の形状をより一定形状に保つことができる。これにより、抽出網３１の一方側開口に外嵌め又は内嵌めされる底部４０との着脱を継続して円滑に行うことができる。
【００６９】
また、底部４０が抽出網３１の一方側開口に外嵌めされているため、底部４０の外周部と、抽出網３１の外周部とのそれぞれを手で持って、底部４０と抽出網３１との着脱作業を行うことができ、便利である。
【００７０】
また、環状凸部３６ａと環状凹部４５との嵌り合い構造によって、底部４０を抽出網３１に対して確実かつ容易に着脱できる。また、底部４０を抽出網３１に装着した状態で、その周方向全体で、環状凸部３６ａと環状凹部４５とが嵌り合っているため、それらの間からの被抽出物Ｌの漏出をより確実に抑制できる。
【００７１】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００７２】
１０  急須
２０  容器部
２７  開口部
３０、３０Ｂ  抽出網具
３１  抽出網
３２  網部
３６  下枠部
３６ａ  環状凸部
４０  底部
４２  底本体部
４４  周壁部
４５  環状凹部
６０、６０Ｂ  容器
６２  開口部
【図１】
2014090839.tif 000003
【図２】
2014090839.tif 000004
【図３】
2014090839.tif 000005
【図４】
2014090839.tif 000006
【図５】
2014090839.tif 000007
【図６】
2014090839.tif 000008
【図７】
2014090839.tif 000009
【図８】
2014090839.tif 000010
【図９】
2014090839.tif 000011
【図１０】
2014090839.tif 000012
【図１１】
2014090839.tif 000013
【図１２】
2014090839.tif 000014